(57)【特許請求の範囲】
【請求項１】
キーボードまたはマウスを具備するマルチメディアコンピュータシステムのオーディオデータ入力装置であって、
前記キーボードまたはマウスに内装されたマイクから出力されるオーディオ信号をディジタルオーディオデータに変換してオーディオクロック信号と共に前記キーボードまたはマウスのコネクターを通じて送信するためのオーディオデータ送信部を備え、
前記オーディオデータ送信部は、
外部から入力される音を電気的なオーディオ信号に変換させるマイクと、
前記マイクから出力されるアナログオーディオ信号をディジタルオーディオデータに変換するためのアナログ／ディジタル変換器と、
前記アナログ／ディジタル変換器の変換クロックを発生させるための第１クロック発生器と、
前記第１クロック発生器から出力される前記アナログ／ディジタル変換器の変換クロックからオーディオクロック信号を発生させ、前記アナログ／ディジタル変換器にイネーブル信号を供給するための第２クロック発生器と、
前記第２クロック発生器及び前記アナログ／ディジタル変換器の動作を制御するためのスイッチと、
前記アナログ／ディジタル変換器から出力される直列のディジタルオーディオデータと前記第２クロック発生器から出力される直列のオーディオクロック信号とを、前記マルチメディアコンピュータシステムで使用しないピンを通じて送信するためのコネクターとを含み、
前記スイッチがターンオンされた状態では、前記第２クロック発生器から前記アナログ／ディジタル変換器へイネーブル信号が供給され、前記マイクから出力されるオーディオ信号がディジタルオーディオデータに変換されてオーディオクロック信号と共に前記キーボードまたはマウスのコネクターを通じて送信されることにより、前記スイッチがオン時キーボードデータまたはマウスデータ、オーディオデータおよびオーディオクロック信号を同時に伝送することができることを特徴とするオーディオデータ入力装置。
【請求項２】
請求項１記載のオーディオデータ入力装置を具備するマルチメディアコンピュータシステムにおいて、
前記オーディオデータ入力装置から受信されたディジタルオーディオデータとオーディオクロック信号とを並列ディジタルオーディオデータと並列オーディオクロック信号とに変換し、ＤＭＡ機能により前記コンピュータシステムのメモリに伝送するためのオーディオデータ受信部を備え、
前記オーディオデータ受信部は、
前記オーディオデータ送信部から伝送される直列ディジタルオーディオデータと直列オーディオクロック信号とを受信するためのコネクターと、
前記コネクターを通じて受信された直列オーディオデータと直列オーディオクロック信号とを並列オーディオデータと並列オーディオクロック信号とに変換し、並列オーディオデータを前記コンピュータシステムのメモリにシフトするための直並列変換器と、
前記直並列変換器から出力される所定のビットに基づいてＤＭＡ要請信号を発生させるためのＤＭＡ要請器と、
前記ＤＭＡ要請信号に対して発生されたＤＭＡ認知信号をクロック信号として前記直並列変換器から出力される並列オーディオデータをカウントするためのカウンターと、
前記カウンターから出力されるカウント値を予め設定して置いた基準カウント値と比較するための比較器と、
前記比較器により、前記カウンターから出力されるカウント値と基準カウント値が一致する場合、インタラプト信号を発生させるためのインタラプト信号発生器とを含むことを特徴とするマルチメディアコンピュータシステム。
【請求項３】
前記直並列変換器は前記ＤＭＡ要請器から発生されたＤＭＡ要請信号に対してＤＭＡ認知信号が発生される時までシフト動作を中止することを特徴とする請求項２記載のマルチメディアコンピュータシステム。
【請求項４】
前記直並列変換器から出力される所定のビットは前記オーディオデータ送信部で遂行されたアナログ／ディジタル変換開始ビットであることを特徴とする請求項２記載のマルチメディアコンピュータシステム。
【発明の詳細な説明】
【０００１】
【産業上の利用分野】
本発明は、キーボードまたはマウスを具備するマルチメディアコンピュータシステム及びそのオーディオデータ入力装置に関する。
【０００２】
【従来の技術】
一般的にコンピュータシステムにおいて、使用者の音声などのようなオーディオメッセージを情報として活用しようとする場合、従来は別のオーディオカードとマイクロフォン（Microphone；以下、マイクと略称する）を必要とした。この際、別のマイクを使用する場合にはマタクロソフト（Microsoft）社で提供するウィンドー（Window）のようなソフトウェア発生パネルなどのレコードスイッチをマウス（Mouse）等のようなポインティングデバイスによりクリックする一方、マイクを別途操作しなければならず、クリック時間と実際のレコーディング時間とに時差が発生した。したがって、ファイルのサイズが不要に拡大されるという欠点があった。
【０００３】
また、システム設置時に、マイクのラインとマウスのラインなどが複雑に絡み合いシステムを使用する際に非常に不便であった。
【０００４】
【発明が解決しようとする課題】
本発明は上述の問題点を解決するために成されたもので、スイッチがターンオンされた状態では、マウスやマイクに対する別の操作なしでキーボードまたはマウスに内装されたマイクから入力されるオーディオ信号を処理し、キーボードデータまたはマウスデータと同時にコネクターを通して送信することができ、オーディオ信号を入力する際に時差が発生せず実時間転送を行うことを目的とする。
【０００５】
【課題を解決するための手段】
上記目的を達成するために、本発明は、キーボードまたはマウスを具備するマルチメディアコンピュータシステムのオーディオデータ入力装置であって、前記キーボードまたはマウスに内装されたマイクから出力されるオーディオ信号をディジタルオーディオデータに変換してオーディオクロック信号と共に前記キーボードまたはマウスのコネクターを通じて送信するためのオーディオデータ送信部を備え、前記オーディオデータ送信部は、外部から入力される音を電気的なオーディオ信号に変換させるマイクと、前記マイクから出力されるアナログオーディオ信号をディジタルオーディオデータに変換するためのアナログ／ディジタル変換器と、前記アナログ／ディジタル変換器の変換クロックを発生させるための第１クロック発生器と、前記第１クロック発生器から出力される前記アナログ／ディジタル変換器の変換クロックからオーディオクロック信号を発生させ、前記アナログ／ディジタル変換器にイネーブル信号を供給するための第２クロック発生器と、前記第２クロック発生器及び前記アナログ／ディジタル変換器の動作を制御するためのスイッチと、前記アナログ／ディジタル変換器から出力される直列のディジタルオーディオデータと前記第２クロック発生器から出力される直列のオーディオクロック信号とを、前記マルチメディアコンピュータシステムで使用しないピンを通じて送信するためのコネクターとを含み、前記スイッチがターンオンされた状態では、前記第２クロック発生器から前記アナログ／ディジタル変換器へイネーブル信号が供給され、前記マイクから出力されるオーディオ信号がディジタルオーディオデータに変換されてオーディオクロック信号と共に前記キーボードまたはマウスのコネクターを通じて送信されることにより、前記スイッチがオン時キーボードデータまたはマウスデータ、オーディオデータおよびオーディオクロック信号を同時に伝送することができることを特徴とする。
【０００７】
【実施例】
以下、添付した図面に基づき本発明を詳細に説明する。
【０００８】
図１は、本発明によりオーディオデータ入力装置の構成要素のうちキーボードまたはマウスに内装されるオーディオデータ送信部のブロック図である。
【０００９】
図１に示したブロック図の構成は、外部から入力されるサウンドを電気的なオーディオ信号に変換させるマイク１１と、マイク１１から出力されるオーディオ信号を所定のレベルに増幅させるための増幅器１３と、増幅器１３の出力信号から高周波雑音を取り除くための低域通過フィルタ１５と、低域通過フィルタ１５から出力されるアナログオーディオ信号をディジタルオーディオデータに変換するためのアナログ／ディジタル変換器１７と、アナログ／ディジタル変換器１７の変換クロックを発生させるための第１クロック発生器１９と、第１クロック発生器１９から出力されるアナログ／ディジタル変換器１７の変換クロックからオーディオクロック信号を発生させ、アナログ／ディジタル変換器１７にイネ−ブル信号を供給するための第２クロック発生器２１と、第２クロック発生器２１とアナログ／ディジタル変換器１７の動作を制御するスイッチ２３と、アナログ／ディジタル変換器１７から出力される直列ディジタルオーディオデータと第２クロック発生器２１から出力される直列オーディオクロック信号を送信するためのコネクター２５よりなる。
【００１０】
図２は、図１に示したオーディオデータ送信部の一実施例による詳細回路図であって、図１に示した各ブロック図の参照符号をそのまま使用する。
【００１１】
図３は、本発明によるオーディオデータ入力装置の構成要素のうち、コンピュータシステムに内装されるオーディオデータ受信部のブロック図である。
【００１２】
図３に示したブロック図の構成は、オーディオデータ送信部のコネクタ２５から伝送される直列ディジタルオーディオデータと直列オーディオクロック信号を受信するためのコネクター３１と、コネクター３１を通じて受信された直列オーディオデータと直列オーディオクロック信号を並列オーディオデータと並列オーディオクロック信号に変換し、この並列オーディオデータをコンピュータシステムのメモリにシフトさせる直並列変換器３３と、直並列変換器３３から出力される所定のビット信号によりＤＭＡ（Direct Memory Acess ）要請信号（ＤＭＡ  ＲＥＱ）を発生させＣＰＵ（図示せず）に供給するためのＤＭＡ要請器３５と、ＤＭＡ要請信号（ＤＭＡ  ＲＥＱ）に対して発生されたＤＭＡ認知信号（ＤＭＡＡＣＫ）をクロック信号として直並列変換器３３から出力される並列オーディオデータをカウントするためのカウンター３７と、カウンター３７から出力されるカウント値をＣＰＵで予め設定して置いた基準カウント値と比較するための比較器３９と、比較器３９における比較の結果、基準カウント値とカウンター３７から出力されるカウント値が一致する場合、インタラプト信号を発生させＤＭＡ制御器（図示せず）に供給するためのインタラプト信号発生器４１よりなる。
【００１３】
図４は、図３に示したオーディオデータ送信部の一実施例による詳細回路図であって、図３に示した各ブロックの参照符号をそのまま使用する。
【００１４】
図５に示すＡ〜Ｈは、図１と図２における各部の動作タイミング図であって、Ａは第１クロック発生器１９から出力されてアナログ／ディジタル変換器１７に入力される変換クロック信号、Ｂはスイッチ２１の出力信号、Ｃはアナログ／ディジタル変換器１７の変換周期、Ｄは第２クロック発生器２３から出力されるアナログ／ディジタル変換器１７のイネーブル信号、Ｅは第２クロック発生器２３内部で発生されるクロックイネーブル信号、Ｆは反転クロックイネーブル信号、Ｇは第２クロック発生器２３から出力されるオーディオクロック信号、Ｈはアナログ／ディジタル変換器１７から出力されるオーディオデータをそれぞれ示している。
【００１５】
さて、図１乃至図５を参照しながら本発明の動作を以下に説明する。
【００１６】
まず、図１および図２に示したオーディオデータ送信部を参照すると、マイク１１は外部から入力される使用者の音声などのようなサウンドを電気的なオーディオ信号に変換させて増幅器１３に印加する。
【００１７】
増幅器１３は、マイク１１から出力されるオーディオ信号を所定レベルで増幅させ、低域通過フィルタ１５は増幅器１３の出力信号から高周波雑音を取り除きアナログ／ディジタル変換器１７に印加する。
【００１８】
アナログ／ディジタル変換器１７は低域通過フィルタ１５から出力されるアナログオーディオ信号をディジタルオーディオデータ（図５に示すＨ）に変換してコネクター２５の複数個のピンのうち、使用しないピンに供給する。この際、ディジタルオーディオデータは開始ビットである始め１ビットを含み直列９ビットより構成される。
【００１９】
第１クロック発生器１９はアナログ／ディジタル変換に使用される変換クロック、例えば１７６．４ＫＨｚ（図５に示すＡ）のクロックを発生させてアナログ／ディジタル変換器１７に印加する。この際、変換周期としてはマタクロソフト社のマルチメディアＰＣ仕様である１１．０２５ＫＨｚ（図５に示すＣ）を使用するが、場合によっては２２．０５ＫＨｚ，４４．１ＫＨｚなどを使用することもできる。
【００２０】
第２クロック発生器２１は第１クロック発生器１９から出力されるアナログ／ディジタル変換器１７の変換クロックからオーディオクロック信号（図５に示すＧ）を発生させ、コネクター２５の複数個のピンのうち、使用しないピンに供給する。また、イネーブル信号（図５に示すＤ）を発生させてアナログ／ディジタル変換器１７に印加する。
【００２１】
スイッチ２３は第２クロック発生器２１とアナログ／ディジタル変換器１７の動作を制御するためのものであり、スイッチ２３がオン状態になると、スイッチ２３の出力信号（図５に示すＢ）により第２クロック発生器２１が動作する。
【００２２】
コネクター２５はアナログ／ディジタル変換器１７から出力される直列ディジタルオーディオデータ（図５に示すＨ）と第２クロック発生器２１から出力されれる直列オーディオクロック信号（図５に示すＧ）をオーディオデータ受信部に送信する。
【００２３】
図３および図４に示したオーディオデータ受信部を参照すると、コネクター３１はオーディオデータ送信部のコネクター（図１と図２の２５）から伝送される直列ディジタルオーディオデータと直列オーディオクロック信号を受信する。一般個人用コンピュータシステムである場合、コネクター２５とコネクター３１は通常６ピンコネクターである。この際、６ピンのうち、使用しない２ピンを通じて直列ディジタルオーディオデータと直列オーディオクロック信号を送受信する。
【００２４】
直並列変換器３３はコネクター３１を通じて受信された直列オーディオデータと直列オーディオクロック信号を並列オーディオデータと並列オーディオクロック信号に変換し、並列オーディオデータをコンピュータシステムのメモリ（図示せず）にシフトさせるためのものであり、ＤＭＡ要請器３５で発生されたＤＭＡ要請信号（ＤＭＡ  ＲＥＱ）に対してＣＰＵがＤＭＡ認知信号（ＤＭＡ  ＡＣＫ）を発生させる時までシフト動作を中止する。
【００２５】
ＤＭＡ要請器３５は直並列変換器３３から出力される所定のビット、即ち開始ビットによりＤＭＡ要請信号（ＤＭＡ  ＲＥＱ）を発生させてＣＰＵ（図示せず）に印加する。
【００２６】
カウンター３７はＤＭＡ要請信号（ＤＭＡ  ＲＥＱ）に対してＣＰＵが発生させたＤＭＡ認知信号（ＤＭＡ  ＡＣＫ）をクロック信号として直並列変換器３３から出力される並列オーディオデータをカウントする。
【００２７】
比較器３９はカウンター３７から出力されるカウント値をＣＰＵで予め設定して置いた基準値と比較し、一致するか否かに対する結果信号をインタラプト信号発生器４１に供給する。
【００２８】
インタラプト信号発生器４１はＤＭＡ機能が６４ｋバイト範囲内に定められた容量を越えて遂行される場合、新たな範囲をＤＭＡ制御器（図示せず）内に設定するため、カウンター３７から出力されるカウント値がＣＰＵで予め設定して置いた基準値と一致する場合、インタラプト信号を発生させてＤＭＡ制御器に印加する。
【００２９】
【発明の効果】
以上説明したように、本発明によれば、スイッチがターンオンされた状態では、マウスやマイクに対する別の操作なしでキーボードまたはマウスに内装されたマイクから入力されるオーディオ信号を処理し、キーボードデータまたはマウスデータと同時にコネクターを通して送信することができ、オーディオ信号を入力する際に時差が発生せず実時間転送を行うことができる。また、マルチメディアコンピュータシステムの構成を簡単にすることができるだけでなく、利用者の利便性を向上させることができる。
【００３０】
【図面の簡単な説明】
【図１】本発明によるオーディオデータ入力装置の構成要素のうち、キーボードまたはマウスに内装されるオーディオデータ送信部のブロック図である。
【図２】図１に示したオーディオデータ送信部の一実施例による詳細回路図である。
【図３】本発明によるオーディオデータ入力装置の構成要素のうち、コンピュータシステムに内装されるオーディオデータ受信部のブロック図である。
【図４】図３に示したオーディオデータ受信部の一実施例による詳細回路図である。
【図５】図１と図２に示す各部の動作タイミングを示すタイミングチャートである。
【図１】
0004230544.tif 000002
【図２】
0004230544.tif 000003
【図３】
0004230544.tif 000004
【図４】
0004230544.tif 000005
【図５】
0004230544.tif 000006